(57)【要約】【課題】虫が進入しにくく、切り欠きエッジが外部に発生しない水抜き孔を有するサッシ枠の提供を目的とする。【解決手段】下枠と、下枠の端面が当接する竪枠とを備え、下枠は、屋外側見付壁と、屋外側見付壁から屋外側に突出する基板と、基板の屋外側に立設した網戸走行レールとを有し、基板は、網戸走行レールよりも屋内側に排水凹部を有し、排水凹部は、凹部を構成する側壁のうちの屋外側見付壁側に位置する側壁に屋外側見付壁側に向けて開口する水抜孔を有し、基板から凹部の底壁に流下した雨水を水抜孔から下枠外に排水することを特徴とする。【選択図】  図１
2006291476.tif 000002
【特許請求の範囲】
【請求項１】
下枠と、下枠の端面が当接する竪枠とを備え、
下枠は、屋外側見付壁と、屋外側見付壁から屋外側に突出する基板と、基板の屋外側に立設した網戸走行レールとを有し、
基板は、網戸走行レールよりも屋内側に排水凹部を有し、
排水凹部は、凹部の屋外側見付壁側に屋外側見付壁側に向けて開口する水抜孔を有し、
基板から凹部の底壁に流下した雨水を水抜孔から下枠外に排水することを特徴とするサッシ枠。
【請求項２】
排水凹部の側壁と底壁と水抜孔とは、基板のプレス加工により形成したものであることを特徴とする請求項１記載のサッシ枠。
【請求項３】
凹部を構成する側壁のうちの竪枠側に位置する側壁は、竪枠の見込面であることを特徴とする請求項１記載のサッシ枠。
【請求項４】
凹部を構成する側壁のうちの竪枠と反対側に位置する側壁と、屋外側に位置する側壁と、底壁と水抜孔とは、基板のプレス加工により形成したものであることを特徴とする請求項３記載のサッシ枠。
【請求項５】
下枠と、下枠の端面が当接する竪枠とを備え、
下枠は、屋外側見付壁と、屋外側見付壁から屋外側に突出する基板と、基板の屋外側に立設した網戸走行レールと、基板の下面に対向して屋外側見付壁から屋外側に突出する下壁とを有し、
基板は、網戸走行レールよりも屋内側に水抜孔を有し、
水抜孔の下方には、水抜孔に近接する位置の屋外側と右側と左側に、基板の下面に連続し且つ相互に連続すると共に、下端が下壁に近接する側壁を有し、
基板から水抜孔に流下した雨水を側壁の下端と下壁との間隙から下枠外に排水することを特徴とするサッシ枠。
【請求項６】
下枠と、下枠の端面が当接する竪枠とを備え、
下枠は、屋外側見付壁と、屋外側見付壁から屋外側に突出する基板と、基板の屋外側に立設した網戸走行レールと、基板の下面に対向して屋外側見付壁から屋外側に突出する下壁とを有し、
基板は、網戸走行レールよりも屋内側の竪枠の見込面に隣接する位置に設けた水抜孔を有し、
水抜孔の下方には、水抜孔に近接する位置の屋外側と竪枠の反対側に、基板の下面に連続し且つ相互に連続すると共に下端が下壁に近接する側壁を有し、屋外側に位置する側壁の端面は竪枠の見込面に当接し、基板から水抜孔に流下した雨水を側壁の下端と下壁との間隙から下枠外に排水することを特徴とするサッシ枠。
【発明の詳細な説明】
【技術分野】
【０００１】
本発明は、網戸を装着するサッシ枠に関し、特に下枠の網戸装着部に排水部を形成したサッシ枠に係る。
【背景技術】
【０００２】
躯体の屋外開口部等に取り付ける窓等においては、下枠に障子走行レール及び網戸走行レールを形成した下枠を用いている。
下枠に網戸等の走行レールを形成した場合に、下枠のレール溝から雨水等を排水する必要があり、従来は特許文献１に示すように、レール溝の屋外側に形成してある網戸走行レールの一部を切り欠いて排水部を設けていた。
しかし、レールの切り欠き部のエッジが危険であり、切り欠き部から虫が進入する恐れもあった。
また、夜間に室内より屋外の方が明るい場合に、切り欠き部から一部光が室内にもれる場合もあった。
【０００３】
【特許文献１】特開２００４−７６４９６号公報
【発明の開示】
【発明が解決しようとする課題】
【０００４】
本発明は、上記背景技術に鑑みて、虫が進入しにくく、切り欠きエッジが外部に発生しない水抜孔を有するサッシ枠の提供を目的とする。
【課題を解決するための手段】
【０００５】
請求項１記載の発明に係るサッシ枠は、下枠と、下枠の端面が当接する竪枠とを備え、下枠は、屋外側見付壁と、屋外側見付壁から屋外側に突出する基板と、基板の屋外側に立設した網戸走行レールとを有し、基板は、網戸走行レールよりも屋内側に排水凹部を有し、排水凹部は、凹部の屋外側見付壁側に屋外側見付壁側に向けて開口する水抜孔を有し、基板から凹部の底壁に流下した雨水を水抜孔から下枠外に排水することを特徴とする。
ここで、基板に形成する排水凹部は基板と一体的に形成してもよく、基板の一部に切り欠き孔を形成し、別部品を基板に取り付けることで形成してもよい。
【０００６】
請求項２記載に係る発明は、排水凹部の側壁と底壁と水抜孔とは、基板のプレス加工により形成したものであることを特徴とする。
プレス加工する場合に、下型に側壁と底壁となる部分を受ける凹部を形成し、下型と上型との間に下枠形材を挿入配置し、上型パンチでプレスし、同時に凹部の屋外側見付壁側に水抜孔を形成する。
【０００７】
請求項３記載に係る発明は、凹部を構成する側壁のうちの竪枠側に位置する側壁は、竪枠の見込面であることを特徴とする。
請求項１記載に係る発明が、下枠下面長手方向中央よりの一般部に排水凹部を形成する場合であるのに対して、請求項３記載に係る発明は、下枠と竪枠とのコーナー部に排水凹部を形成するものである。
この場合に、左右の側壁のどちらか一方が竪枠の見込面で形成されていることになる。
【０００８】
請求項４記載に係る発明は、凹部を構成する側壁のうちの竪枠と反対側に位置する側壁と、屋外側に位置する側壁と、底壁と水抜孔とは、基板のプレス加工により形成したものであることを特徴とする。
下枠と竪枠とのコーナー部に排水凹部を形成する場合に、竪枠側の側壁をプレスで形成せずに、竪枠の見込面を側壁とした。
【０００９】
請求項５記載に係る発明は、下枠と、下枠の端面が当接する竪枠とを備え、下枠は、屋外側見付壁と、屋外側見付壁から屋外側に突出する基板と、基板の屋外側に立設した網戸走行レールと、基板の下面に対向して屋外側見付壁から屋外側に突出する下壁とを有し、基板は、網戸走行レールよりも屋内側に水抜孔を有し、水抜孔の下方には、水抜孔に近接する位置の屋外側と右側と左側に、基板の下面に連続し且つ相互に連続すると共に、下端が下壁に近接する側壁を有し、基板から水抜孔に流下した雨水を側壁の下端と下壁との間隙から下枠外に排水することを特徴とする。
請求項５に記載の発明は、請求項１記載の発明における底壁の替わりに下壁を設けたものである。
【００１０】
請求項６記載に係る発明は、下枠と、下枠の端面が当接する竪枠とを備え、下枠は、屋外側見付壁と、屋外側見付壁から屋外側に突出する基板と、基板の屋外側に立設した網戸走行レールと、基板の下面に対向して屋外側見付壁から屋外側に突出する下壁とを有し、基板は、網戸走行レールよりも屋内側の竪枠の見込面に隣接する位置に設けた水抜孔を有し、水抜孔の下方には、水抜孔に近接する位置の屋外側と竪枠の反対側に、基板の下面に連続し且つ相互に連続すると共に下端が下壁に近接する側壁を有し、屋外側に位置する側壁の端面は竪枠の見込面に当接し、基板から水抜孔に流下した雨水を側壁の下端と下壁との間隙から下枠外に排水することを特徴とする。
【発明の効果】
【００１１】
請求項１記載の発明においては、下枠の屋外側見付壁に、屋外側に突出する基板を設け、基板に排水凹部を形成したので下枠上面から上に突出するエッジはなく安全である。
水抜孔は、屋内側に向けて形成するので虫の進入を抑えることができ、夜間等に屋外から屋内に光がもれることのない構造を提供できる。
【００１２】
請求項２記載の発明においては、排水凹部をプレス加工により形成したので、下枠形材にそのまま排水凹部を形成することができ、虫の進入を防ぐための新たな別部品を必要としないので、生産性が良好でありコストを低減できる。
【００１３】
請求項３記載の発明においては、下枠の長手方向端部に排水凹部を形成した場合で、従来の網戸走行レールの切り欠き小口が不要になり安全である。
【００１４】
請求項４記載の発明においては、排水凹部をプレス加工で形成するので、小口を切り欠く必要がなく生産性が向上する。
【００１５】
請求項５記載の発明においては、極めて簡単な手段で基板の下面に連続して設けた側壁と下壁との隙間から排水することができると共に、虫の進入を抑えつつ、屋外から光がもれることのない構造を提供できる。
【００１６】
請求項６記載の発明においては、竪枠の見込面を排水凹部の側壁としたことにより、比較的小さい部品で対応できるので、目立ちにくく且つコストを低減できる。
【発明を実施するための最良の形態】
【００１７】
本発明を適用したサッシ枠の横断面を図３に、縦断面を図４にそれぞれ示す。
サッシ枠の屋内側から屋外側に向かって左右を定義すると、サッシ枠の右側でその屋内側に内障子３、サッシ枠の左側でその屋外側に外障子２、さらに屋外側に網戸１を左右に走行自在に装着している。
下枠の左右方向ほぼ中央部に排水凹部４０、左右両端部にコーナー排水凹部５０を形成している。
【００１８】
図１に下枠と竪枠の部分及び排水凹部の拡大図を示し、図２に平面図と側面図（正面図）を示す。
下枠１０の端部（端面）は、竪枠２０の見込み面に当接している。
下枠には内障子が走行するレール１７、外障子が走行するレール１６を形成し、レール溝から雨水等を排水する排水孔１４、１５を形成している。
下枠の屋外側の屋外側見付壁１３から屋外側に、基板１１を突出し、基板の屋外側に立設した網戸走行レール１２を形成している。
下枠のレール溝部に流れ込んだ雨水等は、網戸走行レール１２よりも屋内側に有する基板１１に設けた排水凹部４０、５０に流れ込み、そこから屋外（下枠外）に排水する。
排水凹部４０の部分（Ａ）の拡大図及びそのａ−ａ線断面図、ｂ−ｂ線断面図に示すように、基板の下面にプレス加工にて屋外側に位置する屋外側側壁４１、その左右に右側側壁４２Ｒ左側側壁４２Ｌ及び、屋外側側壁４１と左右の側壁４２Ｒ、４２Ｌとを連続につなげた底壁４３を形成するとともに、同時にａ−ａ線断面図に示すように、基板の下に屋内側に向けて水抜孔４５を形成する。
なお、図１ａ−ａ線断面図に示した例は、凹部を構成する側壁のうちの屋外側見付壁側に位置する側壁全部が開口する水抜孔４５になっているが、凹部の屋外側見付壁側に側壁を形成し、部分的に切り欠いて屋外側見付壁側に向けて開口する水抜孔としても良い。
基板から凹部の底壁に流下した雨水は、この水抜孔から下枠外に排水する。
これにより、虫の進入を防ぎ、屋外からの光のもれも無くなる。
また、プレス加工により排水凹部を形成するので、別部品がいらなくなるが、基板に切り欠き孔を形成し、側壁及び底壁を別部品で形成してもよい。
【００１９】
図１のｃ−ｃ線断面図にコーナー部（下枠長手方向端部）の排水凹部５０を示す。
コーナー部は、下枠の端末にプレス加工により排水凹部５０を形成している。
この場合には、下枠の基板下面より下方に、屋外側側壁５１、排水凹部の竪枠と反対側に位置する側壁５２及びこれらと連続した底壁５１を形成し、同時に水抜孔も形成する。
また、屋外側側壁５１、底壁５３の端末は竪枠２０の見込み面２１に当接している。
従って、排水凹部の左右の側壁のどちらかが竪枠の見込面２１にて形成することになる。
【００２０】
図５に、本発明の他の実施例を示す。
下枠の屋外側見付壁１３から屋外側に突出する基板１１と基板の下面に対向して屋外側見付壁１３から屋外側に突出する下壁１３ａとを有している。
基板の網戸走行レール１２よりも屋内側に水抜孔６０を形成してある。
水抜孔６０の下方には、図５（ａ）に示す側壁ピース６０ａを取り付ける。
側壁ピース６０ａは、水抜孔の下方で、水抜孔に近接する位置の屋外側と右側と左側に連続し且つ相互に連続すると共に、下端が下壁に近接する、屋外側側壁６１と右側側壁６２Ｒと左側側壁６２Ｌとを有している。
また、水抜孔６０を下枠と竪枠とのコーナー部（下枠端部）に形成する場合には、水抜孔６０は、網戸走行レールよりも屋内側の竪枠の見込面に隣接し、水抜孔の下方には、水抜孔に近接し、且つ水抜孔に連続する屋外側側壁６１、竪枠の反対側位置する右側側壁６２Ｒとなる側壁ピース６０ｂを取り付ける。
この場合に、側壁ピース６０ｂの下端が下壁１３ａに近接し、屋外側側壁６１の端面６１ａが竪枠の見込面に当接する。
このようにすると、水抜孔６０に流れ込んだ雨水は側壁の下端と下壁との間隙１３ｂから下枠の屋外に排水することになる。
【図面の簡単な説明】
【００２１】
【図１】下枠の排水部を示す。
【図２】下枠の排水部の配置例を示す。
【図３】サッシ枠の横断面図を示す。
【図４】サッシ枠の縦断面図を示す。
【図５】他の実施例例を示す。
【符号の説明】
【００２２】
１０    下枠
１１    基板
１２    網戸走行レール
１３    屋外側見付壁
２０    竪枠
４０    排水凹部
４１    屋外側側壁
４２、４２Ｒ、４２Ｌ    側壁
４３    底壁
４５    水抜孔
５０    コーナー部の排水凹部
【図１】
2006291476.tif 000003
【図２】
2006291476.tif 000004
【図３】
2006291476.tif 000005
【図４】
2006291476.tif 000006
【図５】
2006291476.tif 000007